(57)【要約】【課題】外部機器に対して送信信号を送信している場合においても、増幅部の異常を検出し、異常のある増幅部への電力供給を制御することができる携帯端末を提供する。【解決手段】携帯端末は、送信される送信信号を増幅する増幅部４１ａと、送信信号の増幅に必要な電力を増幅部４１ａに供給する電力供給部５０と、電力供給部５０と増幅部４１ａとの間の電力状態を検出する電力状態検出部４１ｂと、受信される受信信号の強度を検出する受信強度検出部４１ｃと、信号強度と電力状態とが対応付けられた対応データを記憶するメモリ４４と、受信強度検出部４１ｃにより検出された受信信号の強度に対応する電力状態を対応データに基づいて算出する算出部４５ａと、増幅部４１ａにより送信信号が増幅されているときに、算出部４５ａにより算出された電力状態と電力状態検出部４１ｂにより検出された電力状態との対比に基づいて、第１の所定の処理を行う動作制御部４５ｂとを有する。【選択図】図３
2011097308.tif 000002
【特許請求の範囲】
【請求項１】
アンテナと、
前記アンテナにより送信される送信信号を増幅する増幅部と、
前記送信信号の増幅に必要な電力を前記増幅部に供給する電力供給部と、
前記電力供給部と前記増幅部との間の電力状態を検出する電力状態検出部と、
前記アンテナにより受信される受信信号の強度を検出する受信強度検出部と、
信号強度と電力状態とが対応付けられた対応データを記憶する記憶部と、
前記受信強度検出部により検出された前記受信信号の強度に対応する電力状態を前記対応データに基づいて算出する算出部と、
前記増幅部により前記送信信号が増幅されているときに、前記算出部により算出された電力状態と前記電力状態検出部により検出された電力状態との対比に基づいて、第１の所定の処理を行う制御部と、を有することを特徴とする携帯端末。
【請求項２】
前記制御部は、前記増幅部により前記送信信号が増幅されているときに、前記受信強度検出部により前記受信信号の強度を検出すると共に、前記算出部により当該受信信号の強度に対応する電力状態を前記対応データに基づいて算出する、ことを特徴とする請求項１に記載の携帯端末。
【請求項３】
前記増幅部と前記電力供給部とを接続する第１の経路と、
前記第１の経路に接続されて前記第１の経路を遮断可能に構成された遮断部と、を有し、
前記制御部は、前記遮断部により前記第１の経路を遮断することにより前記第１の所定の処理を行う、ことを特徴とする請求項１又は請求項２に記載の携帯端末。
【請求項４】
前記電力状態検出部は、前記第１の経路の前記遮断部の両端側に接続され、前記遮断部の両端の電圧を検出することにより、前記電力供給部と前記増幅部との間の電力状態を検出可能に構成される、ことを特徴とする請求項３に記載の携帯端末。
【請求項５】
前記第１の経路の前記遮断部の両端側であって前記電力状態検出部の間に接続される第２の経路と、
前記第２の経路に接続された所定の抵抗値を有する抵抗部と、を有し、
前記制御部は、前記増幅部により前記送信信号が増幅されていないときに、前記遮断部により前記第１の経路を遮断すると共に、前記電力状態検出部により前記抵抗部の両端の電圧を検出し、当該検出された電圧値と所定の閾値との対比に基づいて、第２の所定の処理を行う、ことを特徴とする請求項４に記載の携帯端末。
【請求項６】
前記制御部は、前記遮断部による前記第１の経路の遮断を維持することにより前記第２の所定の処理を行う、ことを特徴とする請求項５に記載の携帯端末。
【請求項７】
報知部を有し、
前記制御部は、前記報知部により所定の報知を行うことにより前記第１の所定の処理を行う、ことを特徴とする請求項１乃至請求項６のいずれか一項に記載の携帯端末。
【請求項８】
報知部を有し、
前記制御部は、前記報知部により所定の報知を行うことにより前記第２の所定の処理を行う、ことを特徴とする請求項５又は請求項６に記載の携帯端末。
【発明の詳細な説明】
【技術分野】
【０００１】
本発明は、外部機器に送信される送信信号を増幅部により増幅する携帯端末に関する。
【背景技術】
【０００２】
携帯電話機等の携帯端末には、電力供給部と、負電源と、電力供給部から駆動電圧が印加されると共に負電源からバイアス電圧が印加される増幅部と、電力供給部と増幅部との電気的な接続を遮断可能にする遮断部と、増幅部により増幅された送信信号を外部機器へ送信する送信部と、増幅部により増幅された送信信号の電力を検出する電力検出部と、増幅部へ印加されるバイアス電圧を検出する電圧検出部と、電力検出部による電力検出と電圧検出部によるバイアス電圧検出とに基づいて遮断部における電気的な接続又は遮断の切り替えを制御する制御部とを備えるものがある。
【０００３】
また、携帯電話機等の携帯端末には、無線部と、電力供給部と、電力供給部から電圧が印加される増幅部と、電力供給部と増幅部との電気的な接続を遮断可能にする遮断部と、電力供給部と増幅部とを接続し、無線部とは接続してないときの電圧値と電力供給部の電圧値とに基づいて遮断部における電気的な接続又は遮断の切り替えを制御する制御部とを備えるものがある（特許文献１を参照）。
【先行技術文献】
【特許文献】
【０００４】
【特許文献１】特開２００５−３３６５５号公報
【発明の概要】
【発明が解決しようとする課題】
【０００５】
しかし、特許文献１に記載された携帯端末では、電力供給部と無線部とを接続しているときの電圧値等に基づいてその後の制御を行うものである。これは、電力供給部と無線部とが接続されているときには、無線部による通信状態に応じて電圧値が変化するため、増幅部の異常を検出するのが困難である。
【０００６】
なお、増幅部の異常とは、例えば、増幅部の内部に配置されるトランジスタが故障したことに起因して当該トランジスタに定格以上の電流が供給され続けることにより、トランジスタが発熱すること等が考えられる。
【０００７】
本発明は、外部機器に対して送信信号を送信している場合においても、増幅部の異常を検出し、その結果に応じた適切な制御を行うことができる携帯端末を提供することを目的とする。
【課題を解決するための手段】
【０００８】
本発明に係る携帯端末は、アンテナと、前記アンテナにより送信される送信信号を増幅する増幅部と、前記送信信号の増幅に必要な電力を前記増幅部に供給する電力供給部と、前記電力供給部と前記増幅部との間の電力状態を検出する電力状態検出部と、前記アンテナにより受信される受信信号の強度を検出する受信強度検出部と、信号強度と電力状態とが対応付けられた対応データを記憶する記憶部と、前記受信強度検出部により検出された前記受信信号の強度に対応する電力状態を前記対応データに基づいて算出する算出部と、前記増幅部により前記送信信号が増幅されているときに、前記算出部により算出された電力状態と前記電力状態検出部により検出された電力状態との対比に基づいて、第１の所定の処理を行う制御部と、を有することを特徴とする。
【０００９】
また、前記制御部は、前記増幅部により前記送信信号が増幅されているときに、前記受信強度検出部により前記受信信号の強度を検出すると共に、前記算出部により当該受信信号の強度に対応する電力状態を前記対応データに基づいて算出することが好ましい。
【００１０】
また、本発明に係る携帯端末は、前記増幅部と前記電力供給部とを接続する第１の経路と、前記第１の経路に接続されて前記第１の経路を遮断可能に構成された遮断部と、を有し、前記制御部は、前記遮断部により前記第１の経路を遮断することにより前記第１の所定の処理を行うことが好ましい。
【００１１】
また、前記電力状態検出部は、前記第１の経路の前記遮断部の両端側に接続され、前記遮断部の両端の電圧を検出することにより、前記電力供給部と前記増幅部との間の電力状態を検出可能に構成されることが好ましい。
【００１２】
また、本発明に係る携帯端末は、前記第１の経路の前記遮断部の両端側であって前記電力状態検出部の間に接続される第２の経路と、前記第２の経路に接続された所定の抵抗値を有する抵抗部と、を有し、前記制御部は、前記増幅部により前記送信信号が増幅されていないときに、前記遮断部により前記第１の経路を遮断すると共に、前記電力状態検出部により前記抵抗部の両端の電圧を検出し、当該検出された電圧値と所定の閾値との対比に基づいて、第２の所定の処理を行うことが好ましい。
【００１３】
また、前記制御部は、前記遮断部による前記第１の経路の遮断を維持することにより前記第２の所定の処理を行うことが好ましい。
【００１４】
また、本発明に係る携帯端末は、報知部を有し、前記制御部は、前記報知部により所定の報知を行うことにより前記第１の所定の処理を行うことが好ましい。
【００１５】
また、本発明に係る携帯端末は、報知部を有し、前記制御部は、前記報知部により所定の報知を行うことにより前記第２の所定の処理を行うことが好ましい。
【発明の効果】
【００１６】
本発明によれば、外部機器に対して送信信号を送信している場合においても、増幅部の異常を検出し、その結果に応じた適切な制御を行うことができる。
【図面の簡単な説明】
【００１７】
【図１】本発明の携帯端末の一実施形態に係る携帯電話機の外観斜視図である。
【図２】携帯電話機の機能を示す機能ブロック図である。
【図３】携帯電話機が上記機能を発揮する構成について説明するための図である。
【図４】受信電界強度と増幅部に供給される電流との関係を示すグラフである。
【図５】受信電界強度と第２の閾値との関係の具体的な一例を示す表である。
【発明を実施するための形態】
【００１８】
以下、本発明の一実施形態について説明する。図１は、本発明の携帯端末の一実施形態に係る携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１９】
携帯電話機１は、操作部側筐体部２と、表示部側筐体部３とを備える。操作部側筐体部２は、表面部１０に、操作部１１と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
【００２０】
また、表示部側筐体部３は、表面部２０に、各種情報を表示する表示部２１と、通話の相手側の音声を出力するスピーカ２２とを備える。
【００２１】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２２】
また、図２は、携帯電話機１の機能を示す機能ブロック図である。携帯電話機１は、図２に示すように、操作部１１と、マイク１２と、メインアンテナ４０（アンテナ）と、ＲＦ回路部４１と、画像処理部４２と、音声処理部４３と、メモリ４４（記憶部）と、制御部４５とを操作部側筐体部２に備える。また、携帯電話機１は、図２に示すように、表示部２１と、スピーカ２２と、ドライバＩＣ２３とを表示部側筐体部３に備える。
【００２３】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２４】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２５】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２６】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２７】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２８】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２９】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４及び決定操作キー１５）に割り当てる記号や機能を変化させる。
【００３０】
このように構成される携帯電話機１は、外部機器に対して信号を送信している場合においても、増幅部の異常を検出して増幅部への電力供給を遮断する等の所定の処理を行う機能を有する。
以下に、携帯電話機１に係る上記機能を発揮するための構成と動作について詳述する。先ず、本実施形態に係る携帯電話機１の上記機能を発揮するための構成について、図３を参照しながら説明する。図３は、携帯電話機１が上記機能を発揮する構成について説明するための図である。
【００３１】
携帯電話機１は、メインアンテナ４０と、増幅部４１ａと、電力供給部５０と、電力状態検出部４１ｂと、受信強度検出部４１ｃと、メモリ４４と、算出部４５ａ（制御部）と、動作制御部４５ｂ（制御部）とを有する。
本実施形態の場合、携帯電話機１は、増幅部４１ａと、電力状態検出部４１ｂと、受信強度検出部４１ｃとをＲＦ回路部４１に備える。
【００３２】
増幅部４１ａは、メインアンテナ４０により送信される送信信号を増幅する。増幅部４１ａは、例えば、パワーアンプＰＡから構成される。
電力供給部５０は、送信信号の増幅に必要な電力を増幅部４１ａに供給する。電力供給部５０は、例えば、携帯電話機１に備えられる二次電池である。
【００３３】
電力状態検出部４１ｂは、電力供給部５０と増幅部４１ａとの間の電力状態を検出する。例えば、電力状態検出部４１ｂは、電力供給部５０と増幅部４１ａとの間に電気的に接続される負荷（より具体的には、後述する遮断部４１ｄや抵抗部４１ｅ）の両端の電圧Ｖ１とＶ２を検出し、負荷における一方の端部の電圧Ｖ１と他方の端部の電圧Ｖ２との差（Ｖ１−Ｖ２）を算出する。
【００３４】
受信強度検出部４１ｃは、メインアンテナ４０により受信される受信信号の強度を検出する。具体的には、受信強度検出部４１ｃは、受信信号の強度として受信電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を検出する。
【００３５】
メモリ４４は、信号強度と電力状態とが対応付けられた対応データを記憶する。例えば、対応データは、メインアンテナ４０により受信される受信信号の受信電界強度と、受信電界強度に応じた送信信号の送信電力を得るために、電力供給部５０から増幅部４１ａへ電力供給されるときの電力状態検出部４１ｂにおいて検出される電力状態の最大値（第２の閾値）とを対応付けたデータである。
【００３６】
算出部４５ａは、受信強度検出部４１ｃにより検出された受信信号の強度に対応する電力状態を対応データに基づいて算出する。例えば、算出部４５ａは、メモリ４４に記憶された対応データを参照して、受信強度検出部４１ｃにより検出された受信電界強度に応じた、上記負荷における一方の端部の電圧と他方の端部の電圧との差についての最大値を求める。
【００３７】
動作制御部４５ｂ（制御部）は、増幅部４１ａにより送信信号が増幅されているときに、算出部４５ａにより算出された電力状態と電力状態検出部４１ｂにより検出された電力状態との対比に基づいて、第１の所定の処理を行う。第１の所定の処理としては、例えば、電力供給部５０と増幅部４１ａとの間の電気的な接続を遮断すること、又は携帯電話機１のユーザに対して所定の報知を行うこと等である。
【００３８】
したがって、携帯電話機１は、電力供給部５０と増幅部４１ａとの間の電力状態と、受信強度検出部４１ｃにより検出された受信信号の強度に基づいて算出された電力状態とを対比するので、外部機器に対して送信信号を送信している場合においても、増幅部４１ａの異常を適切に検出することができる。さらに、携帯電話機１は、増幅部４１ａに異常を検出した場合に、第１の所定の処理を行うことができる。
【００３９】
また、動作制御部４５ｂは、増幅部４１ａにより送信信号が増幅されているときに、受信強度検出部４１ｃにより受信信号の強度を検出すると共に、算出部４５ａにより当該受信信号の強度に対応する電力状態を対応データに基づいて算出する。
【００４０】
したがって、携帯電話機１は、増幅部４１ａの異常を検出する必要性が高く、従来その検出が困難であった状況である増幅部４１ａにより送信信号が増幅されているときに、電力供給部５０と増幅部４１ａとの間の電力状態と、受信強度検出部４１ｃにより検出された受信信号の強度に基づいて算出された電力状態とを対比するので、効率的な処理が可能となる。なお、もちろん、動作制御部４５ｂは、増幅部４１ａにより送信信号が増幅されていないときに第１の所定の処理を行ってもよい。
【００４１】
また、携帯電話機１は、第１の経路４１ｆと、遮断部４１ｄとをさらに有する。
第１の経路４１ｆは、増幅部４１ａと電力供給部５０とを接続する。
遮断部４１ｄは、第１の経路４１ｆに接続されて第１の経路４１ｆを遮断可能に構成される。遮断部４１ｄは、例えば、バイポーラトランジスタ（図３参照）又はユニポーラトランジスタ等から構成される。
【００４２】
本実施形態では、図３に示すように、遮断部４１ｄは、第１トランジスタＴｒ１及び第２トランジスタＴｒ２から構成される。
第１トランジスタＴｒ１は、図３に示すように、ＰＮＰ型トランジスタから構成される。第１トランジスタＴｒ１は、エミッタが第１の経路４１ｆを介して電力供給部５０に接続され、コレクタが第１の経路４１ｆを介して増幅部４１ａに接続される。さらに、第１トランジスタＴｒ１は、ベースが第２トランジスタＴｒ２のコレクタに接続される。なお、第１トランジスタＴｒ１は、ＰＮＰ型トランジスタではなく、ＮＰＮ型トランジスタであってもよい。
第２トランジスタＴｒ２は、図３に示すように、ＮＰＮ型トランジスタから構成される。第２トランジスタＴｒ２は、エミッタがグランド（ＧＮＤ）に接続され、ベースが動作制御部４５ｂに接続される。なお、第２トランジスタＴｒ２は、ＮＰＮ型トランジスタではなく、ＰＮＰ型トランジスタであってもよい。
なお、遮断部４１ｄは、図３に示すように、２つのトランジスタから構成されるばかりでなく、１つ又は３つ以上のトランジスタから構成されていてもよい。
また、第１トランジスタのエミッタ側と第１トランジスタのベース側（第２トランジスタのコレクタ側）とは、第２抵抗Ｒ２を介して接続される。
【００４３】
動作制御部４５ｂは、遮断部４１ｄにより第１の経路４１ｆを遮断することにより第１の所定の処理を行う。すなわち、動作制御部４５ｂは、増幅部４１ａにより送信信号が増幅されているときに、算出部４５ａにより算出された電力状態と電力状態検出部４１ｂにより検出された電力状態との対比に基づいて、遮断部４１ｄにより第１の経路４１ｆを遮断させる。
【００４４】
したがって、携帯電話機１は、遮断部４１ｄにより電力供給部５０と増幅部４１ａとの間の電気的な接続を遮断するので、外部機器に対して信号を送信しているときであって、増幅部４１ａの異常を検出した場合において、増幅部４１ａの異常に伴う発熱等を抑制することができる。
【００４５】
また、電力状態検出部４１ｂは、第１の経路４１ｆの遮断部４１ｄの両端側に接続され、遮断部４１ｄの両端の電圧を検出することにより、電力供給部５０と増幅部４１ａとの間の電力状態を検出可能に構成される。すなわち、電力状態検出部４１ｂは、第１トランジスタＴｒ１のエミッタ側とコレクタ側とに接続され、第１トランジスタＴｒ１のエミッタ電圧とコレクタ電圧とを検出する。
【００４６】
したがって、携帯電話機１は、遮断部４１ｄの両端の電圧を検出することに基づく電力状態と、受信強度検出部４１ｃにより検出された受信信号の強度に基づいて算出された電力状態とを対比するので、外部機器に対して送信信号を送信している場合においても、増幅部４１ａの異常を検出して第１の所定の処理を行うことができる。
【００４７】
また、携帯電話機１は、第２の経路４１ｇと、抵抗部４１ｅとをさらに有する。
第２の経路４１ｇは、第１の経路４１ｆの遮断部４１ｄの両端側であって電力状態検出部４１ｂの間に接続される。抵抗部４１ｅは、第２の経路４１ｇに接続された所定の抵抗値を有する。本実施形態では、図３に示すように、抵抗部４１ｅは、第１抵抗Ｒ１から構成される。第１抵抗Ｒ１は、第２の経路４１ｇにより、第１トランジスタＴｒ１に並列接続される。さらに、第１抵抗Ｒ１は、所定の抵抗値として、電力供給部５０と増幅部４１ａとを電気的に接続するときの遮断部４１ｄの抵抗値、すなわち、第１トランジスタＴｒ１がオン状態にされているときの抵抗値よりも大きな抵抗値が設定されている。電力状態検出部４１ｂは、第１抵抗Ｒ１における、一方の端部の電圧Ｖ１と他方の端部の電圧Ｖ２とを検出する。
【００４８】
動作制御部４５ｂは、増幅部４１ａにより送信信号が増幅されていないときに、遮断部４１ｄにより第１の経路４１ｆを遮断すると共に、電力状態検出部４１ｂにより抵抗部４１ｅの両端の電圧を検出し、当該検出された電圧値と所定の閾値との対比に基づいて、第２の所定の処理を行う。
【００４９】
すなわち、動作制御部４５ｂは、外部機器に送信信号を送信しない場合、第２トランジスタＴｒ２のベースにＬｏｗ信号（低信号）を供給して、第２トランジスタＴｒ２をオフ状態にさせる。動作制御部４５ｂは、第２トランジスタＴｒ２がオフ状態になった場合、第２トランジスタＴｒ２のコレクタとエミッタとの間に電流が流れないように第２トランジスタＴｒ２を制御する。よって、第１トランジスタＴｒ１のベースには、Ｈｉｇｈ信号（高信号）が供給されない。このため、第１トランジスタＴｒ１は、オフ状態となり、エミッタとコレクタとの間には電流が流れない。
【００５０】
このように第１トランジスタＴｒ１及び第２トランジスタＴｒ２をオフ状態にさせた場合、電力状態検出部４１ｂは、第１抵抗Ｒ１の一方の端部の電圧と、第１抵抗Ｒ１の他方の端部の電圧とを検出する。動作制御部４５ｂは、電力状態検出部４１ｂにより検出された電圧値と、所定の閾値との対比に基づいて、第２の所定の処理を行う。第２の所定の処理の一例としては、遮断部４１ｄによる第１の経路４１ｆの遮断を維持する処理である。
【００５１】
したがって、携帯電話機１は、第１抵抗Ｒ１の両端の電圧と所定の閾値とを対比することにより、外部機器に対して送信信号を送信している場合及び送信していない場合の両方の場合において、増幅部４１ａの異常を検出して第２の所定の処理を行うことができ、回路構成の簡素化を図ることができる。
【００５２】
また、携帯電話機１は、報知部５１を有する。この場合、動作制御部４５ｂは、報知部５１により所定の報知を行うことにより第１の所定の処理を行ってもよい。また、動作制御部４５ｂは、報知部５１により所定の報知を行うことにより第２の所定の処理を行ってもよい。
【００５３】
報知部５１は、例えば、表示部２１又はスピーカ２２であればよい。報知部５１として表示部２１が用いられる場合、動作制御部４５ｂは、第１の所定の処理又は第２の所定の処理として、増幅部４１ａが異常である旨を表示部２１に表示させるよう制御する。また、報知部５１としてスピーカ２２が用いられる場合、動作制御部４５ｂは、第１の所定の処理又は第２の所定の処理として、増幅部４１ａが異常である旨の音声又は増幅部４１ａが異常である旨の警告音をスピーカ２２から出力させるよう制御する。
【００５４】
したがって、携帯電話機１は、増幅部４１ａの異常を検出した場合、報知部５１により所定の報知をさせるので、ユーザに対して増幅部４１ａが異常であることを知らせることができる。さらに、携帯電話機１は、外部機器に対して送信信号を送信している場合においても、報知部５１により報知させることによって増幅部４１ａが異常であることをユーザに知らせるので、ユーザの操作により外部機器に対して送信信号の送信を停止させて、増幅部４１ａの動作を停止（増幅部４１ａへの電力供給を遮断）させることができる。
【００５５】
次に、携帯電話機１の動作について説明する。
まず、増幅部４１ａが送信信号を増幅している場合の携帯電話機１の動作について説明する。
【００５６】
動作制御部４５ｂは、第２トランジスタＴｒ２のベースにＨｉｇｈ信号を供給して、第２トランジスタＴｒ２をオン状態にする。これにより、第２トランジスタＴｒ２では、ベースにＨｉｇｈ信号が供給されることにより、コレクタとエミッタとの間に電流が流れる。
【００５７】
第１トランジスタＴｒ１は、第２トランジスタＴｒ２がオン状態になっているために、ベースにＨｉｇｈ信号が供給される。これにより、第１トランジスタＴｒ１は、エミッタとコレクタとの間に電流が流れ、オン状態となる。
【００５８】
電力状態検出部４１ｂは、第１トランジスタＴｒ１のエミッタ電圧Ｖ１とコレクタ電圧Ｖ２とを検出する。さらに、電力状態検出部４１ｂは、第１トランジスタＴｒ１のエミッタ電圧Ｖ１とコレクタ電圧Ｖ２との電圧差（Ｖ１−Ｖ２）を算出する。
【００５９】
受信強度検出部４１ｃは、メインアンテナ４０により受信される受信信号の受信電界強度を検出する。
【００６０】
メモリ４４は、信号強度と電力状態とが対応付けられた対応データを記憶する。
以下に、対応データの作製方法について説明する。
まず、携帯電話機１では、メインアンテナ４０により受信される受信信号の受信電界強度が大きい場合、送信信号の送信電力は小さくなるように設定される。この場合、電力供給部５０から増幅部４１ａに供給される電力（電流Ｉ１）は、小さい。一方、携帯電話機１では、メインアンテナ４０により受信される受信信号の受信電界強度が小さい場合、送信信号の送信電力は大きくなるように設定される。この場合、電力供給部５０から増幅部４１ａに供給される電力（電流Ｉ１）は、大きい。
【００６１】
図４は、受信電界強度ＲＳＳＩと増幅部４１ａに供給される電流Ｉ１との関係を示すグラフである。図４に一例を示すように、受信電界強度が大きい（約−８７［ｄＢｍ］〜約−６０［ｄＢｍ］程度）場合、電力供給部５０から増幅部４１ａに対して電流Ｉ１がＬｏｗ（低）モード（図４において四角形で示すもの）で供給され、電流Ｉ１は、約２０［ｍＡ］〜約６０［ｍＡ］となる。
一方、受信電界強度が小さい（約−１１０［ｄＢｍ］〜約−８７［ｄＢｍ］程度）場合、電力供給部５０から増幅部４１ａに対して電流Ｉ１は、Ｈｉｇｈ（高）モード（図４において菱形で示すもの）で供給される。この場合、電流Ｉ１は、約１２０［ｍＡ］〜約４５０［ｍＡ］となる。
また、図４において、増幅部４１ａが正常に動作する場合の受信電界強度に対する電流Ｉ１の最大値（第１の閾値）は、三角形で示される。
【００６２】
ところで、増幅部４１ａが正常に動作する場合における、第１トランジスタＴｒ１のエミッタ電圧Ｖ１とコレクタ電圧Ｖ２との最大電圧差（第２の閾値）は、増幅部４１ａに供給される最大電流値（第１の閾値）と、第１トランジスタＴｒ１がオン状態のときの最大抵抗値Ｒｍａｘとの積（（１）式を参照）により得られる。
（第２の閾値）＝（第１の閾値）×Ｒｍａｘ  …（１）
ここに、最大抵抗値Ｒｍａｘは、一定値（一例として、０．１［Ω］）である。また、第１の閾値は、図４から得られる。
したがって、受信電界強度に対応する第２の閾値は、（１）式に基づいて得られる。受信電界強度ＲＳＳＩと第２の閾値との関係の具体的な一例は、図５に示すようなものとなる。
以上のようにして、対応データは作製される。
【００６３】
算出部４５ａは、受信強度検出部４１ｃから受信電界強度を取得すると共に、メモリ４４から対応データを取得する。算出部４５ａは、受信強度検出部４１ｃから取得した受信電界強度に対応する、第１トランジスタＴｒ１のエミッタ電圧Ｖ１とコレクタ電圧Ｖ２との最大電圧差（第２の閾値）を、対応データを参照することにより求める。
【００６４】
動作制御部４５ｂは、算出部４５ａから第２の閾値を取得すると共に、電力状態検出部４１ｂから電圧差（Ｖ１−Ｖ２）を取得する。電圧差（Ｖ１−Ｖ２）は、電力供給部５０から増幅部４１ａへ供給される電流Ｉ１と、第１トランジスタＴｒ１がオン状態のときの最大抵抗値Ｒｍａｘとの積（（２）式を参照）により表すことができる。
（Ｖ１−Ｖ２）＝Ｉ１×Ｒｍａｘ  …（２）
ここに、電流Ｉ１は、増幅部４１ａのリーク電流と、増幅部４１ａの動作電流との和により表すことができる。
【００６５】
このため、動作制御部４５ｂは、算出部４５ａから取得した第２の閾値と、電力状態検出部４１ｂから取得した電圧差（Ｖ１−Ｖ２）とを対比することにより、増幅部４１ａのリーク電流が大きいこと（増幅部４１ａの異常）を判断する。
【００６６】
すなわち、動作制御部４５ｂは、電圧差（Ｖ１−Ｖ２）＞第２の閾値、と判断する場合、増幅部４１ａのリーク電流が増幅部４１ａの正常時におけるリーク電流よりも大きくなっているので、増幅部４１ａが異常であると判断する。この場合、動作制御部４５ｂは、第１の所定の処理として、第２トランジスタＴｒ２のベースにＬｏｗ信号を供給して第２トランジスタＴｒ２をオフ状態にさせると共に、第１トランジスタＴｒ１をオフ状態にさせる。これにより、動作制御部４５ｂは、電力供給部５０から増幅部４１ａへの電力供給を遮断させる。また、動作制御部４５ｂは、第１の所定の処理として、遮断部４１ｄを遮断状態にさせる共に、又は、遮断部４１ｄを遮断状態にさせる替わりに、報知部５１によって所定の報知を行わせてもよい。
【００６７】
これに対し、動作制御部４５ｂは、（Ｖ１−Ｖ２）≦第２の閾値、と判断する場合、増幅部４１ａのリーク電流が正常の範囲内であるので、増幅部４１ａが正常であると判断する。この場合、動作制御部４５ｂは、第２トランジスタＴｒ２のベースにＨｉｇｈ信号を供給し続けて、第１トランジスタＴｒ１のオン状態を維持する。これにより、動作制御部４５ｂは、電力供給部５０から増幅部４１ａへの電力供給を継続させる。
【００６８】
したがって、携帯電話機１は、動作制御部４５ｂによる第２の閾値と電圧差（Ｖ１−Ｖ２）との対比に基づいて、遮断部４１ｄによって電力供給部５０から増幅部４１ａへの電流供給を遮断させ、又は報知部５１によって増幅部４１ａに発熱のおそれがあることを報知させることができる。
【００６９】
次に、増幅部４１ａが送信信号を増幅していない場合の携帯電話機１の動作について説明する。
【００７０】
動作制御部４５ｂは、第２トランジスタＴｒ２のベースに対してＬｏｗ信号を供給する。第２トランジスタＴｒ２では、ベースにＬｏｗ信号が供給されることにより、コレクタとエミッタとの間に電流が流れない。すなわち、第２トランジスタＴｒ２はオフ状態になる。
【００７１】
第１トランジスタＴｒ１は、第２トランジスタＴｒ２がオフ状態になっているために、ベースにＨｉｇｈ信号が供給されない。したがって、第１トランジスタＴｒ１は、エミッタとコレクタとの間に電流が流れず、オフ状態となる。
【００７２】
電力状態検出部４１ｂは、第１抵抗Ｒ１の両端の電圧Ｖ１とＶ２を検出する。さらに、電力状態検出部４１ｂは、電圧Ｖ１と電圧Ｖ２との電圧差（Ｖ１−Ｖ２）を算出する。なお、電圧差（Ｖ１−Ｖ２）は、増幅部４１ａのリーク電流（第１抵抗Ｒ１に流れる電流）と第１抵抗Ｒ１の最大抵抗値Ｒ１ｍａｘとの積（（３）式を参照）により表すことができる。
（Ｖ１−Ｖ２）＝（増幅部４１ａのリーク電流）×Ｒ１ｍａｘ  …（３）
この場合、増幅部４１ａが正常であれば、増幅部４１ａのリーク電流は数［μＡ］程度になる。
【００７３】
動作制御部４５ｂは、電力状態検出部４１ｂから電圧差（Ｖ１−Ｖ２）を取得すると共に、算出部４５ａを介してメモリ４４から第３の閾値を取得する。第３の閾値は、メモリ４４に予め記憶される。第３の閾値は、増幅部４１ａが正常な場合における、第１抵抗Ｒ１における一方の端部の電圧Ｖ１と他方の端部の電圧Ｖ２との最大電圧差（（Ｖ１−Ｖ２）の最大値）である。
なお、第３の閾値は、増幅部４１ａが正常な場合のリーク電流の最大値と、第１抵抗Ｒ１の最大抵抗値Ｒ１ｍａｘとの積（（４）式を参照）により表すことができる。
（第３の閾値）＝（増幅部４１ａが正常な場合のリーク電流の最大値）×Ｒ１ｍａｘ  …（４）
【００７４】
このため、動作制御部４５ｂは、電力状態検出部４１ｂから取得した電圧差（Ｖ１−Ｖ２）と、第３の閾値とを対比することにより、増幅部４１ａにリーク電流が大きいこと（増幅部４１ａの異常）を判断する。
【００７５】
すなわち、動作制御部４５ｂは、電圧差（Ｖ１−Ｖ２）＞第３の閾値、と判断する場合、増幅部４１ａのリーク電流が正常時よりも大きくなっているので、増幅部４１ａが異常であると判断する。この場合、動作制御部４５ｂは、第２の所定の処理として、電話発信を行う等のために増幅部４１ａに電流を供給するよう要求があったときでも、第２トランジスタＴｒ２のベースにＬｏｗ信号を供給し続けて第２トランジスタＴｒ２のオフ状態を維持させると共に、第１トランジスタＴｒ１のオフ状態を維持させる。これにより、動作制御部４５ｂは、電力供給部５０から増幅部４１ａへの電力供給の遮断状態を継続させる。また、動作制御部４５ｂは、第２の所定の処理として、遮断部４１ｄの遮断状態を継続させると共に、又は、遮断部４１ｄの遮断状態を継続させる替わりに、報知部５１によって所定の報知を行わせてもよい。
【００７６】
これに対し、動作制御部４５ｂは、（Ｖ１−Ｖ２）≦第３の閾値、と判断する場合、増幅部４１ａのリーク電流が正常値であるので、増幅部４１ａが正常であると判断する。この場合、動作制御部４５ｂは、電話発信を行う等のために増幅部４１ａに電流を供給するよう要求があったときに、第２トランジスタＴｒ２のベースにＨｉｇｈ信号を供給する。第２トランジスタＴｒ２は、コレクタとエミッタとの間に電流が流れ、オン状態となる。また、第１トランジスタＴｒ１は、ベースにＨｉｇｈ信号が供給されるので、オン状態となる。これにより、第１トランジスタＴｒ１のエミッタとコレクタとの間には、電流（増幅部４１ａに供給される電流Ｉ１）が流れる。
【００７７】
したがって、携帯電話機１は、動作制御部４５ｂによる第３の閾値と電圧差（Ｖ１−Ｖ２）との対比に基づいて、遮断部４１ｄによって電力供給部５０から増幅部４１ａへの電流供給の遮断を継続させ、又は報知部５１によって増幅部４１ａが発熱のおそれがあることを報知させることができる。
【００７８】
なお、上述した実施形態では、本発明の携帯端末が携帯電話機１である場合について説明した。しかしながら、本発明の携帯端末は、携帯電話機１に限定されることはなく、例えば、ＰＨＳ（Ｐｅｒｓｏｎａｌ  Ｈａｎｄｙｐｈｏｎｅ  Ｓｙｓｔｅｍ）等の、外部機器に送信される送信信号を増幅部４１ａにより増幅する携帯端末であってもよい。
【符号の説明】
【００７９】
１  携帯電話機（携帯端末）
４０  メインアンテナ（アンテナ）
４１ａ  増幅部
４１ｂ  電力状態検出部
４１ｃ  受信強度検出部
４１ｄ  遮断部
４１ｅ  抵抗部
４１ｆ  第１の経路
４１ｇ  第２の経路
４４  メモリ（記憶部）
４５ａ  算出部
４５ｂ  動作制御部（制御部）
５０  電力供給部
５１  報知部
【図１】
2011097308.tif 000003
【図２】
2011097308.tif 000004
【図３】
2011097308.tif 000005
【図４】
2011097308.tif 000006
【図５】
2011097308.tif 000007